(57)【要約】【課題】安価で組み立てと分解が容易であり、しかも安定感に優れ、端正な陳列を実現することのできる、優れた物品陳列台を提供する。【解決手段】段ボール製の骨格構造体１１を備え、上記骨格構造体１１が、底板２０と、天板２４と、複数の垂直板２１、２２を交差状に組み立ててなる脚部２３とで構成されており、各垂直板２１、２２の上下端縁のうち、互いに交差する部分の一部が上方および下方に突出して底板２０および天板２４との連結に用いられるようになっており、上記底板２０には、交差状に組み立てられた脚部２３の下端縁突出部と嵌合する交差状の切欠き部２７が形成され、上記天板２４には、上記脚部２３の上端縁突出部と嵌合する交差状の切欠き部２７′が形成され、かつ天板２４の上面に、物品載置用の凹部が形成されている。【選択図】図２
2014113366.tif 000002
【特許請求の範囲】
【請求項１】
段ボールもしくは厚紙を組み立ててなる骨格構造体を備えた物品陳列台であって、上記骨格構造体が、底板と、天板と、この底板と天板とを連結して底板上に所定の高さで天板を支受する脚部とを備え、上記脚部が、複数の垂直板を交差状に組み立てて構成されており、各垂直板の下端縁のうち、互いに交差する部分の一部が下方に突出して底板との連結に用いられ、同じくその上端縁のうち、互いに交差する部分の一部が上方に突出して天板との連結に用いられるようになっており、上記底板には、上記脚部の交差状に組み立てられた垂直板下端縁から突出する部分と嵌合する交差状の切欠き部が形成され、上記天板には、上記脚部の交差状に組み立てられた垂直板上端縁から突出する部分に嵌合する交差状の切欠き部が形成され、かつ天板上面に、物品載置用の凹部が形成されていることを特徴とする物品陳列台。
【請求項２】
上記天板が、上板とその下面に貼着されるガイド板とで構成されており、上記上板に、上記脚部と嵌合する交差状の切欠き部と、物品載置用の凹部を形成するための開口部とが設けられ、上記ガイド板が、上記上板の物品載置用の開口部底面を塞ぎ、かつ上記上板の脚部と嵌合する交差状の切欠き部を塞がない状態で、上記上板に貼着されている請求項１記載の物品陳列台。
【請求項３】
物品陳列台が左右方向に延びた細長い形状であり、上記脚部を構成する交差状の垂直板が、それぞれ正面に対し４５°傾斜した向きに配置されている請求項１または２記載の物品陳列台。
【発明の詳細な説明】
【技術分野】
【０００１】
本発明は、分解して平たく畳むことのできる組み立て式の物品陳列台に関するものである。
【背景技術】
【０００２】
近年、商品の販売は、店員が顧客に注文や要望を聞きながら販売する対面方式から、陳列棚や陳列台に並ぶ商品を顧客自身が手にとってレジで購入するセルフ方式が主流となってきている。このようなセルフ方式の店舗では、店員が顧客に商品説明を行う機会が少ないため、特定のキャンペーンやイベントにかかる商品を、商品を陳列する棚とは別に設けた陳列台に、印象的な表示や装飾を施したパネルやＰＯＰとともに印象的に配置して、顧客の目を引くことが行われている。
【０００３】
このような物品陳列台は、通常、陳列対象となる商品の大きさやイメージに合わせて、キャンペーンやイベントの都度、メーカーが、専用の陳列台を用意することが多い。しかし、期間限定のキャンペーン等において、その都度、プラスチック成形体やスチールの組み立て体からなる陳列台を用意することはコストがかかり、また省資源の点からも好ましくない。
【０００４】
そこで、迅速かつ簡単に組み立てることができ、不要の場合は全体を分解したり平たく折り畳んだりして保管することのできる段ボール製や厚紙製の物品陳列台がいくつか提案されている。例えば、下記の特許文献１には、複数の陳列棚を取り付けた、組立式の商品陳列棚が記載されている。
【先行技術文献】
【特許文献】
【０００５】
【特許文献１】特開２００１−１４９１９０号公報
【発明の概要】
【発明が解決しようとする課題】
【０００６】
この商品陳列棚は、図６（ａ）に示すように、段ボール紙によって形成される左右部材１、２と裏面部材３からなる本体４と、複数の棚板５と、棚板５に垂直に取り付けられる仕切板６と、覆い板７等を備え、上記棚板５と仕切板６は、その縁部に設けられた突出部を、本体４側に設けられた挿入孔に嵌め込むことによって、本体４と係合するようになっている。そして、上記裏面部材３と棚板５と覆い板７には、それぞれ中央に折り目８（図において破線で示す）が設けられており、仕切板６と本体４との係合を外せば、簡単に全体を二つ折りして畳めるようになっている。なお、途中まで二つ折りした状態を図６（ｂ）に示す。
【０００７】
このものは、簡単に二つ折りして畳めるため、保管に場所をとらないものの、繰り返して使用することを前提としているため、最初の組み立て時に複雑な接着作業や取り付け作業が必要であり、「簡便」とは程遠いものである。そして、本体４と棚板５との係合個所が多く、各係合の向きが左右方向と奥側方向の三方向に分かれているため、一つでも係合が完全になされていないと、棚板が傾いて見栄えのよい端正な陳列ができなくなってしまうという問題がある。
【０００８】
本発明は、このような事情に鑑みてなされたもので、安価で組み立てと分解が容易であり、しかも安定感に優れ、端正な陳列を実現することのできる、優れた物品陳列台の提供をその目的とする。
【課題を解決するための手段】
【０００９】
上記の目的を達成するため、本発明は、段ボールもしくは厚紙を組み立ててなる骨格構造体を備えた物品陳列台であって、上記骨格構造体が、底板と、天板と、この底板と天板とを連結して底板上に所定の高さで天板を支受する脚部とを備え、上記脚部が、複数の垂直板を交差状に組み立てて構成されており、各垂直板の下端縁のうち、互いに交差する部分の一部が下方に突出して底板との連結に用いられ、同じくその上端縁のうち、互いに交差する部分の一部が上方に突出して天板との連結に用いられるようになっており、上記底板には、上記脚部の交差状に組み立てられた垂直板下端縁から突出する部分と嵌合する交差状の切欠き部が形成され、上記天板には、上記脚部の交差状に組み立てられた垂直板上端縁から突出する部分に嵌合する交差状の切欠き部が形成され、かつ天板上面に、物品載置用の凹部が形成されている物品陳列台を第１の要旨とする。
【００１０】
また、本発明は、そのなかでも、特に、上記天板が、上板とその下面に貼着されるガイド板とで構成されており、上記上板に、上記脚部と嵌合する交差状の切欠き部と、物品載置用の凹部を形成するための開口部とが設けられ、上記ガイド板が、上記上板の物品載置用の開口部底面を塞ぎ、かつ上記上板の脚部と嵌合する交差状の切欠き部を塞がない状態で、上記上板に貼着されている物品陳列台を第２の要旨とする。
【００１１】
さらに、本発明は、それらのなかでも、特に、物品陳列台が左右方向に延びた細長い形状であり、上記脚部を構成する交差状の垂直板が、それぞれ正面に対し４５°傾斜した向きに配置されている物品陳列台を第３の要旨とする。
【発明の効果】
【００１２】
すなわち、本発明の物品陳列台は、底板と、天板と、この両者を連結する脚部とで構成される特殊な骨格構造体を備えたものであり、骨格構造体だけからなるものであっても、この骨格構造体を柔らかい布等で被覆したものであってもよい。
【００１３】
この物品陳列台によれば、その骨格となる骨格構造体の脚部が、互いに交差状に組み立てられた複数の垂直板で構成されており、この交差状の垂直板の上端縁と下端縁から突出する部分を、底板と天板のそれぞれに設けられた交差状の切欠き部に嵌合させて連結するようになっているため、複数の垂直板を交差状に組み立てて脚部を作り、この脚部の上下両端に、底板と天板をそれぞれ取り付けるだけで、ごく簡単にこの骨格構造体を作ることができる。
【００１４】
しかも、上記脚部が交差状に構成され、この交差する部分の一部を、底板、天板の交差状の切欠き部と嵌合させることによって連結を行うため、連結部の強度が高く、全体として非常に安定感に優れたものとなる。さらに、上記天板上面に、物品載置用の凹部が形成されているため、この凹部に物品を嵌め込んで陳列するだけで、見栄えのよい陳列にすることができ、またその陳列の配置がずれにくいという効果を奏する。そして、顧客がこの物品を手に取ったり誤って倒したりした場合であっても、物品をこの凹部内に戻せば、陳列の配置を乱すことがないため、見栄えのよい陳列を維持することができる。
【００１５】
そして、この骨格構造体を構成する各部材は、全て段ボールもしくは厚紙で構成されているため、軽くて取り扱いやすいだけでなく、低コストでつくることができる。そして、分解すると、全てが平たい板状材となり、容積が非常に小さくなるため、保管スペースが小さくてすみ、また焼却処分時における環境負荷も小さいという利点を有する。したがって、キャンペーンやイベントに合わせて、期間限定で、この物品陳列台を用い、期間終了後はこれを使い捨てるようにしてもよい。
【００１６】
なお、本発明のなかでも、特に、上記天板が、上板とその下面に貼着されるガイド板とで構成されており、上記上板に、上記脚部と嵌合する交差状の切欠き部と、物品載置用の凹部を形成するための開口部とが設けられ、上記ガイド板が、上記上板の物品載置用の開口部底面を塞ぎ、かつ上記上板の脚部と嵌合する交差状の切欠き部を塞がない状態で、上記上板に貼着されているものは、上記上板に、物品載置用の開口部を設け、その開口を、上板下面に貼り付けるガイド板で塞ぐだけで、簡単に物品載置用の凹部を形成することができるため、構成が簡単でコストをより低く抑えることができる。
【００１７】
また、本発明のなかでも、特に、物品陳列台が左右方向に延びた細長い形状であり、上記脚部を構成する交差状の垂直板が、それぞれ正面に対し４５°傾斜した向きに配置されているものは、物品陳列台自体が細長くても、その骨格構造体の脚部は、左右方向に比較的幅の狭いものを組み合わせて構成すればよいため、分解時に嵩高くならず、保管や処分に便利である。しかも、脚部の交差部が、物品陳列台が細長く延びる方向に対して４５°傾斜した向きに配置されているため、前後左右方向における安定感にとりわけ優れたものとなる。
【図面の簡単な説明】
【００１８】
【図１】（ａ）は本発明の物品陳列台の一実施の形態を示す模式的な正面図、（ｂ）はその左側面図である。
【図２】上記物品陳列台に用いられる骨格構造体の一例を示す斜視図である。
【図３】上記骨格構造体を分解して並べた状態を示す説明図である。
【図４】上記骨格構造体のうち、脚部を示す斜視図である。
【図５】（ａ）は上記骨格構造体における底板および天板に対する脚部の配置を示す模式的な説明図、（ｂ）はその変形例を示す模式的な説明図である。
【図６】（ａ）は従来の商品陳列棚の一例を示す斜視図、（ｂ）はその商品陳列棚を途中まで二つ折りした状態を示す斜視図である。
【発明を実施するための形態】
【００１９】
つぎに、本発明の実施の形態を、図面にもとづいて詳しく説明する。ただし、本発明は、以下の実施の形態に限定されるものではない。
【００２０】
図１（ａ）は、本発明の物品陳列台の一実施の形態を模式的に示す正面図であり、図１（ｂ）はその左側面図である。この物品陳列台は、物品１０として、楕円筒状のボトル容器入り化粧料を陳列するもので、段ボール製の骨格構造体１１（図２参照）を柔軟な不織布シート１２で覆った構成になっている。そして、この物品陳列台の後ろには、陳列された物品１０に関するキャッチコピーや製品情報を表示する厚紙製のパネル１３が取り付けられている。なお、１４は、陳列面の中央奥側のスペースを利用して取り付けられたプラスチック製の造形品で、アイキャッチ効果をもたせるために、陳列された物品１０のラベルデザインを拡大して立体化したものである。
【００２１】
上記物品陳列台に用いられる骨格構造体１１は、図２に示すように、段ボール製の板状体を組み立てたもので、これを分解して並べた状態を示す図３に示すように、底板２０と、幅の異なる２種類の垂直板２１、２２（各２枚）からなる脚部２３と、陳列面を構成する天板２４とを備えている。なお、上記天板２４は、外形が底板２０と同一形状の上板２５と、その下面に貼着される４枚のガイド板２６とで構成されており、図３では、これらのガイド板２６を、上板２５に貼着する前の状態で示している。
【００２２】
上記底板２０は、左右方向に細長く、中央部分が手前（図面下方向）に突出した形状で、交差状の切欠き部２７が３個、いずれもその切欠き部２７を構成するスリットが正面に対して４５°傾斜した角度となる配置で設けられている。
【００２３】
また、上記天板２４の上板２５には、上記底板２０の切欠き部２７と同様の切欠き部２７′が、上記底板２０における切欠き部２７と同様の配置で設けられている。そして、この３個の切欠き部２７を避ける配置で、平面視五角形の開口部２８が４個、左右方向に略並んで形成されている。
【００２４】
上記上板２５の下面に貼着される４枚のガイド板２６は、図３において鎖線で示すように、上記開口部２８を塞ぎ、上記切欠き部２７′を塞がない状態で上板２５に貼着されるようになっている。このガイド板２６の貼着により、上記上板２５の開口部２８の底面がそれぞれ塞がれて凹部となり、物品陳列台に並べられる物品１０の配置用凹部として利用されるようになっている（図２参照）。
【００２５】
一方、脚部２３を構成する２種類の垂直板２１、２２には、それぞれ、下端から上向きに延びるスリット２９と上端から下向きに延びるスリット３０とが、図３に示すように設けられており、互いのスリット２９、３０を嵌め合わせることによって、図４に示すような、交差状の脚部２３が形成されるようになっている。
【００２６】
なお、上記各垂直板２１、２２の上端縁および下端縁には、互いに交差する部分の一部が、上方もしくは下方に、上板２５、底板２０の厚み分だけ突出している。
【００２７】
したがって、交差状に組み立てられた各垂直板２１、２２の下向きの突出部３１と、底板２０の切欠き部２７とを嵌合し、同じく上向きの突出部３２と、天板２３における上板２５の切欠き部２７′とを嵌合することにより、上記垂直板２１、２２からなる脚部２３の上下両端に、底板２０と天板２４とが連結され、図２に示すような骨格構造体１１が得られるようになっている。
【００２８】
上記物品陳列台によれば、複数の垂直板２１、２２（この例では一組２枚×２組の計４枚）を交差状に組み立てて脚部２３を作り、この脚部２３の上下両端に、底板２０と天板２４をそれぞれ取り付けるだけで、ごく簡単に、その骨格構造体を作ることができる。
【００２９】
しかも、上記脚部２３が交差状に構成され、この交差する部分に設けられた突出部３１、３２を、底板２０、天板２４の交差状の切欠き部２７、２７′と嵌合させることによって連結を行うため、連結部の強度が高く、全体として非常に安定感に優れたものとなる。
【００３０】
さらに、上記天板２４において、上板２５の開口部２８と下面に貼着されるガイド板２６とで凹部が形成されるため、この凹部内に物品１０（図１参照）の底部を載置して陳列するだけで、見栄えのよい陳列にすることができ、またその陳列の配置がずれにくいという効果を奏する。そして、顧客がこの物品１０を手に取ったり誤って倒したりした場合であっても、物品１０をこの凹部内に戻せば、陳列の配置を乱すことがないため、見栄えのよい陳列を維持することができる。
【００３１】
なお、上記凹部の開口形状は平面視五角形状であり、物品１０の底面形状である楕円形とは一致していないが、これは、段ボールに開口を形成する際、楕円のような曲線よりも五角形のように直線的な形状の方が加工がしやすいことによるものである。もちろん、大型の打ち抜き加工機等を用いて開口部２８を形成する場合は、物品１０の底面形状に合わせた形状にすることが好適である。ただし、物品１０の底部よりもやや大きめの開口にしておく方が、物品１０を載置したり手にとったりしやすく、とりわけ、その上に不織布シート１２（図１参照）を被せる場合に好都合である。
【００３２】
そして、この骨格構造体１１は、全て段ボール製の板状体で構成されているため、軽くて取り扱いやすいだけでなく、低コストでつくることができる。そして、分解すると、全てが平たい板状材となり、容積が非常に小さくなるため、保管スペースが小さくてすみ、また焼却処分時における環境負荷も小さいという利点を有する。したがって、キャンペーンやイベントに合わせて、期間限定で、この物品陳列台を用い、期間終了後はこれを使い捨てるようにしてもよい。
【００３３】
また、上記骨格構造体１１は、全体が左右方向に延びた細長い形状であり、上記脚部２３を構成する交差状の垂直板２１、２２が、それぞれ正面に対し４５°傾斜した向きで配置されているため、底板２０と天板２４とが左右方向に細長くても、骨格構造体１１の脚部２３は、左右方向に比較的幅の狭いものを組み合わせて構成すればよく、分解時に嵩高くならず、保管や処分に便利である。しかも、脚部２３の交差部が、物品陳列台が細長く延びる方向に対して４５°傾斜した向きに配置されることになるため、前後左右方向における安定感にとりわけ優れたものとなる。
【００３４】
ちなみに、上記骨格構造体１１の底板２０、天板２４に連結される脚部２３の配置を斜線で示すと、図５（ａ）に示すようになり、４枚の、比較的幅の狭い垂直板２１、２２によって、安定的に底板２０と天板２４とが連結されていることがわかる。一方、脚部２３において、交差部を正面に対して直角に配置させる場合には、図５（ｂ）に示すように、底板２０、天板２４と同じように左右方向に長く延びる垂直板４０と、これを横切る垂直板４１、４２とを交差状に組み立てる必要があり、図５（ａ）に示す配置に比べて、垂直板４０等が嵩張ることがわかる。しかも、３個所の交差部が、１枚の垂直板４０の長手方向に沿って並ぶため、組み立て時や組み立て後に垂直板４０が曲がって変形するおそれがあり、取り扱いに注意を要する。したがって、上記の例のように、脚部２３の交差部を、正面に対して４５°傾斜させることが好適であることがわかる。
【００３５】
なお、上記の例では、物品陳列台として、上記骨格構造体１１をそのまま用いるのではなく、骨格構造体１１を不織布シート１２で覆った構成にして、全体に柔らかい印象を与えるようにしたが、商品のイメージや店舗内装とのバランス等によっては、上記骨格構造体１１をそのまま物品陳列台として用いてもよい。また、不織布シート１２に代えて、着色や適当なデザインが施された紙製のカバーを側面に取り付けて脚部２３を隠したり、天板２４と同様の開口部２８を設けた紙製のカバーを天板２４の上に重ねたりして、物品陳列台を、より印象的な外観にすることができる。
【００３６】
そして、上記の例では、物品陳列台の後ろにキャッチコピー等を表示したパネル１３を取り付けるとともに、物品陳列台の陳列面に、アイキャッチ用の造形品１４を取り付けて陳列したが、これらの付属物は、必ずしも必要ではない。
【００３７】
また、上記の例では、天板２４を、開口部２８を有する上板２５と、これを下面側から塞ぐ４枚のガイド板２６とで構成したが、上板２５と同形状のガイド板２６に、脚部２３を連結するための切欠き部２７′を設けて、上板２５の下面に重ねるようにしても差し支えない。あるいは、複数枚の段ボールが積層された厚肉の段ボール材を用いて天板２４を作製し、この天板２４に、物品載置用の凹部を形成することにより、ガイド板２６の使用を省略してもよい。
【００３８】
そして、上記の例では、４枚の垂直板２１、２２を組み立てて交差状の脚部２３を形成したが、垂直板２１、２２の数や形状、あるいは交差部の数は、物品陳列台の大きさやデザインに応じて適宜に設定することができる。
【００３９】
さらに、上記の例は、物品陳列台の骨格構造体１１を、全て段ボールで構成したが、段ボールに代えて、厚紙を用いることができる。そして、その厚みや大きさは、陳列する物品の種類や陳列形態に応じて、適宜に設定することができる。
【００４０】
なお、本発明の物品陳列台は、低コストで製造することができ、焼却処分時の環境負荷も小さいことから、キャンペーンやイベントごとに使い捨ててもよいが、組み立て時の形状が損なわれない限り、繰り返し使用すれば、より経済的である。
【産業上の利用可能性】
【００４１】
本発明は、段ボールもしくは厚紙を組み立ててなる骨格構造体を備え、分解することにより大幅に減容することのできる物品陳列台に利用することができる。
【符号の説明】
【００４２】
１１  骨格構造体
２０  底板
２１，２２  垂直板
２３  脚部
２４  天板
２７，２７′  切欠き部
２８  開口部
【図１】
2014113366.tif 000003
【図２】
2014113366.tif 000004
【図３】
2014113366.tif 000005
【図４】
2014113366.tif 000006
【図５】
2014113366.tif 000007
【図６】
2014113366.tif 000008